(57)【要約】【課題】電動機の逆回転を防止し、正回転のみを誘導するようにした逆回転防止装置を備えた電動機を提供する。【解決手段】ケーシングと、ステータと、ステータの内部に回転可能に挿入される第１ロータと、永久磁石を備えてステータと第１ロータ間の空隙に回転可能に挿入される第２ロータと、ケーシングの内壁に備えられる係止ユニットと、第２ロータに回転可能に結合されて第２ロータの正逆回転により係止ユニットに係止されるか又は係止ユニットから解除されることで第２ロータが正方向に回転するように誘導するラチェットユニットと、第２ロータの回転により発生する遠心力と自己復元力との差によりラチェットユニットを係止位置又は解除位置に移動させる位置設定ユニットとから構成される。【選択図】図１
2006353090.tif 000002
【特許請求の範囲】
【請求項１】
ケーシングと、
該ケーシングの内部に固定結合されるステータと、
該ステータの内部に回転可能に挿入される第１ロータと、
該第１ロータに結合されるモータ軸と、
永久磁石を備え、前記ステータと前記第１ロータ間の空隙に回転可能に挿入される第２ロータと、
前記ケーシングの内壁に備えられる係止ユニットと、
前記第２ロータに回転可能に結合され、該第２ロータの正逆回転により前記係止ユニットに係止されるか、又は前記係止ユニットから解除されることで、前記第２ロータが正方向に回転するように誘導するラチェットユニットと、
前記第２ロータの回転により発生する遠心力と自己復元力との差により前記ラチェットユニットを係止位置又は解除位置に移動させる位置設定ユニットと、
から構成されることを特徴とする逆回転防止装置を備えた電動機。
【請求項２】
前記係止ユニットが、前記ケーシングの内壁に所定間隔を置いて円周方向に配列される複数の停止ブロックから構成されることを特徴とする請求項１に記載の逆回転防止装置を備えた電動機。
【請求項３】
前記停止ブロックが、前記ケーシングと一体に形成されることを特徴とする請求項２に記載の逆回転防止装置を備えた電動機。
【請求項４】
前記ラチェットユニットが、前記第２ロータに固定結合される固定ピンと、該固定ピンに回転可能に挿入され、前記係止ユニットに係止されるか、又は前記係止ユニットから解除されるラチェット部材とから構成されることを特徴とする請求項１に記載の逆回転防止装置を備えた電動機。
【請求項５】
前記ラチェットユニットが、前記第２ロータの縁部に位置することを特徴とする請求項１に記載の逆回転防止装置を備えた電動機。
【請求項６】
前記ラチェット部材が、ゴム材で形成されることを特徴とする請求項４に記載の逆回転防止装置を備えた電動機。
【請求項７】
前記固定ピンには、前記ラチェット部材の結合位置を設定する段差部が備えられることを特徴とする請求項４に記載の逆回転防止装置を備えた電動機。
【請求項８】
前記第２ロータの一側には、前記ラチェット部材の一側を選択的に係止する固定部材が備えられることを特徴とする請求項１に記載の逆回転防止装置を備えた電動機。
【請求項９】
前記位置設定ユニットが、前記ラチェットユニットの回転領域に位置するように第２ロータに装着されるパーキングマグネットと、前記ラチェットユニットの一側に備えられて前記パーキングマグネットの磁力により引力が作用する磁性部材と、前記ラチェットユニットの一側に装着されて前記第２ロータの回転時に発生する遠心力を前記ラチェットユニットに与えるカウンターウェイトとから構成されることを特徴とする請求項１に記載の逆回転防止装置を備えた電動機。
【請求項１０】
前記磁性部材と前記カウンターウェイトが、一体に形成されることを特徴とする請求項９に記載の逆回転防止装置を備えた電動機。
【請求項１１】
前記磁性部材と前記カウンターウェイトが、軸方向に同一線上に位置することを特徴とする請求項９に記載の逆回転防止装置を備えた電動機。
【請求項１２】
前記位置設定ユニットが、前記第２ロータと前記ラチェットユニットの一側を連結する弾性部材と、前記ラチェットユニットの一側に装着されて前記第２ロータの回転時に発生する遠心力を前記ラチェットユニットに与えるカウンターウェイトとから構成されることを特徴とする請求項１に記載の逆回転防止装置を備えた電動機。
【請求項１３】
前記第２ロータが、所定厚さを有する円筒状に形成され、円周方向に沿って複数の極性を有する円筒状永久磁石と、該円筒状永久磁石を支持するホルダと、該ホルダと前記モータ軸に結合するベアリングとから構成されることを特徴とする請求項１に記載の逆回転防止装置を備えた電動機。
【請求項１４】
ケーシングと、
該ケーシングの内部に固定結合されるステータと、
該ステータの内部に回転可能に挿入されるロータと、
該ロータに結合されるモータ軸と、
前記ケーシングの内壁に備えられる係止ユニットと、
前記ロータに回転可能に結合され、該ロータの正逆回転により前記係止ユニットに係止されるか、又は前記係止ユニットから解除されることで、前記ロータが正方向に回転するように誘導するラチェットユニットと、
前記ロータの回転により発生する遠心力と自己復元力との差により前記ラチェットユニットを係止位置又は解除位置に移動させる位置設定ユニットと、
から構成されることを特徴とする逆回転防止装置を備えた電動機。
【発明の詳細な説明】
【技術分野】
【０００１】
本発明は、電動機に関し、特に、初期駆動時にロータの逆回転を防止すると共に、構造の簡素化及び容易な製造を可能にした逆回転防止装置を備えた電動機に関する。
【背景技術】
【０００２】
一般に、電動機は、電気エネルギーを運動エネルギーに転換する装置であり、家電製品などの多様な分野に適用されて製品の動力源として使用されている。例えば、冷蔵庫の場合は、電動機がファンを回転させて冷蔵庫の内部の冷気を循環させ、エアコンの場合は、ファンを回転させて蒸発器から発生する冷気を室内に流動させる。また、このような電動機は、適用分野によって多様な種類がある。
【０００３】
前記電動機の１種類である誘導電動機は、回転磁界を形成するステータと、該ステータの内部に回転可能に挿入される誘導ロータとを含む。一方、最近は、誘導電動機の効率を向上させるために、前記ステータと誘導ロータ間に永久磁石が挿入された誘導電動機が開発されている。
【０００４】
図１１は、本出願人により研究開発中の誘導電動機の一例を示す正断面図であり、図１２は、図１１の誘導電動機の誘導ロータの側断面図である。
【０００５】
図示されたように、前記誘導電動機は、巻線コイルが備えられたステータ１００と、該ステータ１００の内部に回転可能に挿入される誘導ロータ２００と、ステータ１００と誘導ロータ２００間に回転可能に挿入される同期ロータ３００とから構成される。
【０００６】
ステータ１００は、所定長さを有して形成されたステータコア１１０と、該ステータコア１１０の内部に形成された複数のティース１１１に巻回されて回転磁界を形成する巻線コイル１２０とを含む。ステータコア１１０は、複数枚のシートが積層された積層体である。
【０００７】
誘導ロータ２００は、所定の長さと外径を有する丸棒状（filled cylindrical type）のロータコア２１０と、該ロータコア２１０の内部に挿入されるケージ（cage）２２０とを含む。ロータコア２１０の中心には回転軸２３０が結合される。ロータコア２１０は、複数枚のシートが積層された積層体である。ケージ２２０は、ロータコア２１０の両側面にそれぞれ位置する環状のエンドリング部２２１と、ロータコア２１０の内部に位置して２つのエンドリング部２２１を連結する複数の連結バー部２２２とからなる。ケージ２２０は、導体であり、ロータコア２１０にインサート成形により形成される。
【０００８】
誘導ロータ２００は、ステータ１００の挿入孔に挿入される。
【０００９】
同期ロータ３００は、所定厚さを有する中空円筒状の永久磁石３１０と、コップ状に形成されて永久磁石３１０を支持するホルダ３２０とを含む。永久磁石３１０は、ステータ１００と誘導ロータ２００間の空隙に回転可能に挿入され、ホルダ３２０の一側にはベアリング３３０が備えられ、ベアリング３３０を介してホルダ３２０が回転軸２３０に結合される。
【００１０】
ステータ１００は、モータケーシング４００の内部に装着され、該モータケーシング４００の両側面にはそれぞれベアリング４１０が備えられ、ベアリング４１０を介してモータケーシング４００に回転軸２３０が結合される。
【００１１】
前記誘導電動機は、回転軸２３０により回転力を負荷に伝達するが、図面には、回転軸２３０にファン２４０が装着されたものを示す。
【００１２】
以下、前述したような誘導電動機の動作を説明する。
【００１３】
ステータ１００に電源が供給され、該ステータ１００に供給された電源により回転磁界が発生すると、永久磁石３１０が備えられた同期ロータ３００は、その回転磁界に対応するように回転軸２３０に対して相対回転する。同期ロータ３００が回転すると、同期ロータ３００を構成する永久磁石３１０のフラックスにより誘導ロータ２００のケージ２２０に誘導電流が流れる。ステータ１００の回転磁界、同期ロータ３００の永久磁石３１０、及び誘導ロータ２００に誘起される誘導電流などの影響により誘導ロータ２００が回転する。
【００１４】
前記誘導電動機は、回路を構成することによって、初期駆動時、同期ロータ３００の永久磁石３１０と巻線コイル１２０を構成するサブ巻線コイルに流れる電流により、誘導ロータ２００を同期速度まで回転させ、その後、巻線コイル１２０を構成するメイン巻線コイルに流れる電流により誘導ロータ２００を回転させる。
【００１５】
しかしながら、このような誘導電動機は、初期電源投入時、電圧位相や不平衡な回転磁界などの影響により同期ロータ３００及び誘導ロータ２００が逆回転するという問題があった。同期ロータ３００及び誘導ロータ２００は、負荷慣性が小さいほど、また、電圧が高いほど、逆回転する傾向が強い。
【００１６】
一方、このような誘導電動機の同期ロータ３００及び誘導ロータ２００の逆回転を防止する方法の１つとして、誘導電動機に逆回転防止回路を備えて同期ロータ３００及び誘導ロータ２００の逆回転を防止する方法があるが、前記逆回転防止回路は、構成が複雑で、製造コストが高いという問題があった。
【００１７】
また、機構的な方法で電動機の逆回転を防止する技術は、以下の特許文献に開示されている。
【００１８】
しかしながら、このように機構的な方法で電動機の逆回転を防止するように提案された構造は、その構造が複雑であるため、実際に実現が困難であり、信頼性が低いという問題があった。
【００１９】
【特許文献１】米国特許第１，８９３，０３８号明細書
【特許文献２】特公平６−２５６２４号公報
【特許文献３】実公平８−１１０３７号公報
【特許文献４】特開平９−１６３６６３号公報
【特許文献５】大韓民国公開特許公報第１９９８−０００３３２４号公報
【発明の開示】
【発明が解決しようとする課題】
【００２０】
本発明は、前述したような問題を解決するために提案されたもので、本発明の目的は、初期駆動時にロータの逆回転を防止すると共に、構造の簡素化及び容易な製造を可能にした逆回転防止装置を備えた電動機を提供することにある。
【課題を解決するための手段】
【００２１】
このような目的を達成するために、本発明による逆回転防止装置を備えた電動機は、ケーシングと、該ケーシングの内部に固定結合されるステータと、該ステータの内部に回転可能に挿入される第１ロータと、該第１ロータに結合されるモータ軸と、永久磁石を備え、前記ステータと前記第１ロータ間の空隙に回転可能に挿入される第２ロータと、前記ケーシングの内壁に備えられる係止ユニットと、前記第２ロータに回転可能に結合され、該第２ロータの正逆回転により前記係止ユニットに係止されるか、又は前記係止ユニットから解除されることで、前記第２ロータが正方向に回転するように誘導するラチェットユニットと、前記第２ロータの回転により発生する遠心力と自己復元力との差により前記ラチェットユニットを係止位置又は解除位置に移動させる位置設定ユニットとから構成されることを特徴とする。
【発明の効果】
【００２２】
本発明による逆回転防止装置を備えた電動機は、電動機の逆回転を防止して正回転のみを誘導することにより、電動機の信頼性が向上し、また、構成部品数が減少し、構造が簡単になるため、製造が容易になり、製造コストが低くなるという効果がある。
【発明を実施するための最良の形態】
【００２３】
以下、本発明の逆回転防止装置を備えた電動機を図面を参照して詳細に説明する。
【００２４】
図１は、本発明の逆回転防止装置を備えた電動機の第１実施形態を示す正断面図であり、図２は、図１の電動機の分解斜視図であり、図３は、図１の電動機を構成するラチェットユニットの分解斜視図である。
【００２５】
図示されたように、前記逆回転防止装置を備えた電動機は、内部空間を有するケーシング５００と、該ケーシング５００の内部に固定結合されるステータ６００と、該ステータ６００の内部に回転可能に挿入される第１ロータ７１０と、該第１ロータ７１０に結合されるモータ軸７２０と、永久磁石７３１を備え、ステータ６００と第１ロータ７１０間の空隙に回転可能に挿入される第２ロータ７３０と、ケーシング５００の内壁に備えられる係止ユニットと、第２ロータ７３０に回転可能に結合され、該第２ロータ７３０の正逆回転により前記係止ユニットに係止されるか、又は前記係止ユニットから解除されて第２ロータ７３０が正方向に回転するように誘導するラチェットユニットと、第２ロータ７３０の回転により発生する遠心力と自己復元力との差により前記ラチェットユニットを係止位置又は解除位置に移動させる位置設定ユニットとを含む。
【００２６】
ケーシング５００は、所定長さを有し、両側面が閉鎖された中空円筒体の形状に形成されることが好ましい。
【００２７】
ステータ６００は、所定長さを有し、内部に貫通孔が形成されたステータコア６１０と、該ステータコア６１０の内周壁に形成された複数のティースを巻回して供給される電流により回転磁界を形成する巻線コイル６２０とを含む。ステータコア６１０は、複数枚のシートが積層された積層体である。
【００２８】
巻線コイル６２０は、メインコイルとサブコイルとから構成される。
【００２９】
第１ロータ７１０は、所定長さと外径を有する丸棒状のロータコア７１１と、該ロータコア７１１の内部に備えられる誘導体（induction frame）７１２とを含む。ロータコア７１１は、複数枚のシートが積層された積層体であり、該ロータコア７１１の中央にモータ軸７２０が貫通圧入される。モータ軸７２０には、ファンなどの負荷が連結される。誘導体７１２は、かご形（squirrel cage type）に形成される。
【００３０】
第１ロータ７１０は、ステータ６００の貫通孔に挿入され、該第１ロータ７１０の外周面とステータ６００の貫通孔の内周面との間には所定間隔の空隙が形成される。
【００３１】
モータ軸７２０の一側にはベアリング７４０が備えられ、該ベアリング７４０を介してモータ軸７２０がケーシング５００の一側壁に固定結合される。モータ軸７２０の一側は、ケーシング５００の外部に突出する。
【００３２】
一方、モータ軸７２０の両側にベアリング７４０がそれぞれ備えられ、２つのベアリング７４０を介してモータ軸７２０がケーシング５００の両側壁にそれぞれ固定結合され、モータ軸７２０の両端が、ケーシング５００の両側壁の外に突出するように構成することもできる。
【００３３】
第２ロータ７３０は、所定厚さを有する中空円筒状の永久磁石７３１と、コップ状に形成され、永久磁石７３１を支持するホルダ７３２と、該ホルダ７３２の一側に固定結合されるベアリング７３３とを含む。永久磁石７３１は、ステータ６００の貫通孔の内周面と第１ロータ７１０の外周面との間の空隙に回転可能に挿入され、ベアリング７３３は、モータ軸７２０に固定結合される。
【００３４】
前記係止ユニットは、ケーシング５００の一側内壁に突出して配列された複数の停止ブロック７５０から構成される。停止ブロック７５０は、ケーシング５００の一側壁の中心を基準として円周方向に所定間隔を置いて位置する。ケーシング５００の一側壁の中心にはモータ軸７２０が貫通挿入される。
【００３５】
全ての停止ブロック７５０は、同一の形状に形成されることが好ましく、該停止ブロック７５０の形状は多様に形成できる。
【００３６】
また、停止ブロック７５０は、ケーシング５００と一体に形成することもでき、さらに、停止ブロック７５０と別途に製造されてケーシング５００の一側内壁に結合することもできる。
【００３７】
前記ラチェットユニットは、第２ロータ７３０に固定結合される固定ピン７６０と、該固定ピン７６０に回転可能に結合され、前記係止ユニットに係止されるか、又は前記係止ユニットから解除されるラチェット部材７７０とを含む。
【００３８】
固定ピン７６０は、所定の外径と長さを有する第１ピン部７６１と、所定長さを有し、該第１ピン部７６１の外径より小さい外径を有して第１ピン部７６１から延設される第２ピン部７６２とを含む。第１ピン部７６１と第２ピン部７６２の境界面は段差部となる。固定ピン７６０は、第２ロータ７３０のホルダ７３２の側面縁部に位置するように固定結合され、ここで、固定ピン７６０の第１ピン部７６１がホルダ７３２に固定結合される。
【００３９】
ラチェット部材７７０は、所定の厚さと面積を有して形成される胴部７７１と、該胴部７７１の内部に貫通形成されて固定ピン７６０が挿入されるピン孔７７２とを含む。ラチェット部材７７０は、硬質ゴム材（hard rubber material）などの非磁性体材料で形成されることが好ましい。ラチェット部材７７０のピン孔７７２に固定ピン７６０の第２ピン部７６２が挿入されることで、ラチェット部材７７０の一面が段差部に支持される。
【００４０】
第２ロータ７３０のホルダ７３２には、ラチェット部材７７０の一側を選択的に係止する固定部材７８０が固定結合される。固定部材７８０は、所定の厚さと幅を有するリング部７８１と、該リング部７８１の一側外周面に突出して延設される突起部７８２とを含む。突起部７８２は、所定の幅と長さを有して形成され、その一面に傾斜面７８３が備えられることが好ましい。固定部材７８０は、リング部７８１の中心がホルダ７３２の中心に一致するように、ホルダ７３２に固定結合される。
【００４１】
固定ピン７６０に結合したラチェット部材７７０が回転するときにその一側が固定部材７８０の突起部７８２に係止されるように、固定部材７８０の突起部７８２の厚さは、固定ピン７６０の第１ピン部７６１の長さより大きく形成される。
【００４２】
一方、固定部材７８０は、ラチェット部材７７０が設定角度以上回転するとき、ラチェット部材７７０の他側を支持してラチェット部材７７０が設定角度以上回転することを防止する。
【００４３】
前記位置設定ユニットは、前記ラチェットユニットの回転領域に位置するように第２ロータ７３０に装着されるパーキングマグネット７９０と、前記ラチェットユニットの一側に備えられ、パーキングマグネット７９０の磁力により引力が作用する磁性部材８００と、前記ラチェットユニットの一側に装着され、第２ロータ７３０の回転時に発生する遠心力を前記ラチェットユニットに与えるカウンターウェイト８１０とを含む。
【００４４】
パーキングマグネット７９０は、所定の厚さと面積を有して形成され、第２ロータ７３０のホルダ７３２の一面に固定結合される。固定ピン７６０に結合したラチェット部材７７０が回転するときに前記パーキングマグネット７９０に干渉されないように、パーキングマグネット７９０の厚さを固定ピン７６０の第１ピン部７６１の長さより小さく形成する。
【００４５】
磁性部材８００は、ラチェット部材７７０の一側に固定結合され、また、カウンターウェイト８１０も、磁性部材８００側に位置する。すなわち、ラチェット部材７７０のピン孔７７２を中心として一側部分に磁性部材８００及びカウンターウェイト８１０が位置する。磁性部材８００及びカウンターウェイト８１０は、軸方向に同一線上に位置することが好ましい。
【００４６】
一方、磁性部材８００及びカウンターウェイト８１０は、一体に形成することができる。すなわち、磁性部材８００の重量をカウンターウェイト８１０の重量を含む重量にし、磁性部材８００がカウンターウェイト８１０の役割も果たすようにすることができる。
【００４７】
図４は、前記位置設定ユニットの他の変形例を示し、図示されたように、前記位置設定ユニットは、第２ロータ７３０と前記ラチェットユニットの一側を連結する弾性部材８３０と、前記ラチェットユニットの一側に装着されて第２ロータ７３０の回転時に発生する遠心力をラチェットユニットに与えるカウンターウェイト８１０とを含む。
【００４８】
弾性部材８３０は、所定長さを有する引張コイルスプリングである。前記引張コイルスプリングの一側が前記ラチェットユニットのラチェット部材７７０の一側に固定結合され、他側が固定部材７８０の一側に固定結合される。これにより、ラチェット部材７７０が外力により固定ピン７６０を中心に回転して該ラチェット部材７７０の一側が固定部材７８０から遠くなる場合、前記引張コイルスプリングの復元力がラチェット部材７７０に作用し、前記外力が除去されると、ラチェット部材７７０が再び固定部材７８０側に移動する。
【００４９】
弾性部材８３０としては、引張コイルスプリング以外にもゴムひもなど多様なものを適用することができる。
【００５０】
図５は、本発明による逆回転防止装置を備えた電動機の第２実施形態を示し、図示されたように、第２実施形態は、第１実施形態から第２ロータ７３０が排除された誘導電動機に適用できる。すなわち、誘導電動機のケーシング５００に係止ユニットが備えられ、ロータ９２０の正逆回転によって前記係止ユニットに係止されるか、又は前記係止ユニットから解除されてロータ９２０が正方向に回転するように誘導するラチェットユニットがロータ９２０に備えられ、該ロータ９２０の回転により発生する遠心力と自己復元力との差により前記ラチェットユニットを係止位置又は解除位置に移動させる位置設定ユニットが前記ラチェットユニット及びロータ９２０に備えられる。前記係止ユニット、ラチェットユニット及び位置設定ユニットの構成は第１実施形態と同様である。
【００５１】
ここで、符号９１０はステータであり、９３０はモータ軸である。
【００５２】
以下、図６から図１０を参照して、本発明による逆回転防止装置を備えた電動機の第１実施形態の作用効果を説明する。
【００５３】
まず、ステータ６００の巻線コイル６２０に順次電流が供給されて回転磁界が発生すると、前記回転磁界により第２ロータ７３０が同期して同期速度で回転する。第２ロータ７３０が回転すると、該第２ロータ７３０の永久磁石７３１により形成されるフラックスにより第１ロータ７１０に誘導電流が流れる。ステータ６００の巻線コイル６２０により発生する回転磁界、第２ロータ７３０の永久磁石７３１、及び第１ロータ７１０に誘導される誘導電流などの影響により第１ロータ７１０が回転する。
【００５４】
第１ロータ７１０の回転により該第１ロータ７１０に結合したモータ軸７２０が回転して該モータ軸７２０に結合した負荷に回転力を伝達する。
【００５５】
一方、電動機の初期駆動時に印加される電圧の正常でない位相又は不平衡な回転磁界などにより第２ロータ７３０に逆回転力が発生することで、該第２ロータ７３０が逆回転すると同時に第１ロータ７１０に作用する誘導電流により該第１ロータ７１０に逆回転力が作用して第１ロータ７１０が逆回転する。
【００５６】
しかしながら、第２ロータ７３０に逆回転力が発生して該第２ロータ７３０が逆回転する場合、図６及び図７に示すように、第２ロータ７３０が任意の位置で逆回転しても、第２ロータ７３０に装着されたラチェットユニットのラチェット部材７７０がケーシング５００に備えられた係止ユニットの停止ブロック７５０に係止され、第２ロータ７３０の逆回転を防止する。ここで、第２ロータ７３０に固定結合したパーキングマグネット７９０の磁力によりラチェット部材７７０の一側に備えられた磁性部材８００がパーキングマグネット７９０の位置に位置するので、ラチェット部材７７０が第２ロータ７３０の中心方向に位置する。これにより、第２ロータ７３０が逆回転すると、該第２ロータ７３０に装着されたラチェット部材７７０の一側が停止ブロック７５０に係止され、ラチェット部材７７０の他側が固定部材７８０の突起部７８２に係止されて第２ロータ７３０の逆回転が防止される。停止ブロック７５０間の間隔が狭いほど、ラチェット部材７７０と停止ブロック７５０の衝撃が少なく、衝突騒音が小さくなる。
【００５７】
また、前記電動機の初期駆動時に印加される電圧の位相が変化するか、又は不平衡な回転磁界などが解消されると、第２ロータ７３０に正回転力が作用し、第２ロータ７３０に作用する正回転力により第２ロータ７３０が正回転する。第２ロータ７３０の正回転力により、図８〜図１０に示すように、第２ロータ７３０と共に回転するラチェット部材７７０が停止ブロック７５０にぶつかり、ラチェット部材７７０が停止ブロック７５０にぶつかることにより、ラチェット部材７７０が固定ピン７６０を中心に回転して該ラチェット部材７７０がケーシング５００の停止ブロック７５０の領域から外れる。
【００５８】
ラチェット部材７７０がケーシング５００の停止ブロック７５０の領域から外れた状態で、第２ロータ７３０が回転すると、該第２ロータ７３０の永久磁石７３１のフラックスにより第１ロータ７１０が正方向に回転する。ここで、第２ロータ７３０の回転により、該第２ロータ７３０に装着されたラチェット部材７７０に備えられたカウンターウェイト８１０に遠心力が作用することで、ラチェット部材７７０がケーシング５００の停止ブロック７５０の領域外に位置する状態が維持される。
【００５９】
前記電動機が停止すると、第２ロータ７３０の回転が停止してラチェット部材７７０の一側に備えられた磁性部材８００が第２ロータ７３０に固定結合したパーキングマグネット７９０の磁力により該パーキングマグネット７９０の位置に位置するので、図６又は図８に示すように、ラチェット部材７７０が第２ロータ７３０の中心方向に位置する。
【００６０】
一方、前記位置設定ユニットが弾性部材８３０とカウンターウェイト８１０を含む場合、弾性部材８３０の弾性力と第２ロータ７３０の回転力によるカウンターウェイト８１０の遠心力の差によりラチェット部材７７０の位置が設定される。
【００６１】
本発明の逆回転防止装置を備えた電動機の第２実施形態は、第１実施形態と同様な原理で動作するので、その具体的な説明は省略する。
【００６２】
このように、本発明の逆回転防止装置を備えた電動機は、電動機の初期起動時に印加される電圧の正常でない位相又は不平衡な回転磁界などにより第２ロータ７３０に逆回転力が作用する場合、前記ラチェットユニットにより第２ロータ７３０が係止されて該第２ロータ７３０の逆回転が防止されると共に、第１ロータ７１０の逆回転が防止される。
【００６３】
また、前記電動機の初期起動時に印加される電圧の正常でない位相又は不平衡な回転磁界などにより第２ロータ７３０に逆回転力が作用するとき、前記逆回転を防止する構成要素がラチェットユニットと位置設定ユニットなどとから構成されるので、構成部品が簡素となり、構造が簡単となる。
【図面の簡単な説明】
【００６４】
【図１】本発明による逆回転防止装置を備えた電動機の第１実施形態を示す断面図である。
【図２】図１の電動機の分解斜視図である。
【図３】図１の電動機を構成するラチェットユニットの分解斜視図である。
【図４】図１の電動機を構成する位置設定ユニットの他の実施形態を示す正面図である。
【図５】本発明による逆回転防止装置を備えた電動機の第２実施形態を示す断面図である。
【図６】本発明による逆回転防止装置を備えた電動機の第１実施形態の作動状態を示す正面図である。
【図７】本発明による逆回転防止装置を備えた電動機の第１実施形態の作動状態を示す正面図である。
【図８】本発明による逆回転防止装置を備えた電動機の第１実施形態の作動状態を示す正面図である。
【図９】本発明による逆回転防止装置を備えた電動機の第１実施形態の作動状態を示す正面図である。
【図１０】本発明による逆回転防止装置を備えた電動機の第１実施形態の作動状態を示す正面図である。
【図１１】本発明の出願人が考案中である誘導電動機を示す正断面図である。
【図１２】本発明の出願人が考案中である誘導電動機を示す側断面図である。
【符号の説明】
【００６５】
５００    ケーシング
６００、９１０    ステータ
７１０    第１ロータ
７２０、９３０    モータ軸
７３０    第２ロータ
７３１    永久磁石
７５０    停止ブロック
７６０    固定ピン
７７０    ラチェット部材
７８０    固定部材
７９０    パーキングマグネット
８００    磁性部材
８１０    カウンターウェイト
８３０    弾性部材
【図１】
2006353090.tif 000003
【図２】
2006353090.tif 000004
【図３】
2006353090.tif 000005
【図４】
2006353090.tif 000006
【図５】
2006353090.tif 000007
【図６】
2006353090.tif 000008
【図７】
2006353090.tif 000009
【図８】
2006353090.tif 000010
【図９】
2006353090.tif 000011
【図１０】
2006353090.tif 000012
【図１１】
2006353090.tif 000013
【図１２】
2006353090.tif 000014